(57)【要約】  【課題】  映像信号が入力されている外部入力端子を選択して、常に映像信号を出力することができるようにした入力映像信号切換出力回路を有する光ディスク装置を提供する。  【解決手段】  例えばＳ信号検出回路４がＳ映像信号を検出すると、外部入力端子判定手段１２１はＳ入力端子２にＳ映像信号が入力されていると判定する。セットアップメニュー１０での設定がコンポジット入力端子になっていると、両端子比較手段１２３は両入力端子は異なると判定し、メニュー設定端子変更手段１２５はセットアップメニュー１０での設定をＳ入力端子に変更し、この変更に応答して端子切換手段１２５は選択回路６に対して外部入力端子をコンポジット入力端子３側からＳ入力端子２側に切り換えように制御し、選択回路６の共通接点６１を接点６２側に切り換え、Ｓ映像信号は選択回路６から出力可能になる。【選択図】      図１
2007043402.tif 000002
【特許請求の範囲】
【請求項１】
外部からのＳ映像信号を入力するための第１の外部入力端子と、外部からのコンポジッ
ト映像信号を入力するための第２の外部入力端子と、第１の外部入力端子からのＳ映像信
号あるいは第２の外部入力端子からのコンポジット信号を選択して出力する選択回路と、
この選択回路で選択された映像信号を出力すると共に前記選択された映像信号を変換して
もう一方の映像信号を同時に出力する信号処理回路と、この信号処理回路からのＳ映像信
号を外部へ出力するための第１の外部出力端子と、前記信号処理回路からのコンポジット
映像信号を外部へ出力するための第２の外部出力端子とを有する入力映像信号切換出力回
路を備えた光ディスク装置において、
第１の外部入力端子からのＳ映像信号の有無を検出する第１の映像信号検出回路と、第
２の外部入力端子からのコンポジット映像信号の有無を検出する第２の映像信号検出回路
とを備えると共に、
現在映像信号が入力されている側の外部入力端子を前記第１の映像信号検出回路による
検出結果および前記第２の映像信号検出回路による検出結果に基づいて判定する外部入力
端子判定手段と、セットアップメニューで選択された外部入力端子を検出するセットアッ
プメニュー選択端子検出手段と、このセットアップメニュー選択端子検出手段により検出
された外部入力端子と前記外部入力端子判定手段により判定された外部入力端子とが同じ
であるか否かを判定する両端子比較手段と、この両端子比較手段により両外部入力端子が
異なると判定された場合に前記セットアップメニューで設定されている外部入力端子を現
在映像信号が入力されている側の外部入力端子に変更するメニュー設定端子変更手段と、
前記外部入力端子の変更に応答して現在映像信号が入力されている側の外部入力端子に切
り換えるように前記選択回路を制御する端子切換手段とを有する信号切換制御回路を備え
たことを特徴とする光ディスク装置。
【請求項２】
外部からの第１の映像信号を入力するための第１の外部入力端子と、外部からの第２の
映像信号を入力するための第２の外部入力端子と、第１の外部入力端子からの第１の映像
信号あるいは第２の外部入力端子からの第２の映像信号を選択して出力する選択回路と、
この選択回路で選択された映像信号を出力すると共に前記選択された映像信号を変換して
もう一方の映像信号を同時に出力する信号処理回路と、この信号処理回路からの第１の映
像信号を外部へ出力するための第１の外部出力端子と、前記信号処理回路からの第２の映
像信号を外部へ出力するための第２の外部出力端子とを有する入力映像信号切換出力回路
を備えた光ディスク装置において、
第１の外部入力端子からの第１の映像信号の有無を検出する第１の映像信号検出回路と
、第２の外部入力端子からの第２の映像信号の有無を検出する第２の映像信号検出回路と
を備えると共に、
前記第１の映像信号検出回路および前記第２の映像信号検出回路の検出結果に基づいて
現在映像信号が入力されている側の外部入力端子を選択するように前記選択回路を制御す
る信号切換制御回路を備えたことを特徴とする光ディスク装置。
【請求項３】
前記信号切換制御回路は、現在映像信号が入力されている側の外部入力端子を前記第１
の映像信号検出回路による検出結果および前記第２の映像信号検出回路による検出結果に
基づいて判定する外部入力端子判定手段と、セットアップメニューで選択された外部入力
端子を検出するセットアップメニュー選択端子検出手段と、このセットアップメニュー選
択端子検出手段により検出された外部入力端子と前記外部入力端子判定手段により判定さ
れた外部入力端子とが同じであるか否かを判定する両端子比較手段と、この両端子比較手
段により両外部入力端子が異なると判定された場合に前記セットアップメニューで設定さ
れている外部入力端子を現在映像信号が入力されている側の外部入力端子に変更するメニ
ュー設定端子変更手段と、前記外部入力端子の変更に応答して現在映像信号が入力されて
いる側の外部入力端子に切り換えるように前記選択回路を制御する端子切換手段とを有す
ることを特徴とする請求項２に記載の光ディスク装置。
【請求項４】
前記第１の映像信号はＳ映像信号であり、前記第２の映像信号はコンポジット映像信号
であることを特徴とする請求項２に記載の光ディスク装置。
【発明の詳細な説明】
【技術分野】
【０００１】
本発明は、光ディスクに記録された情報を再生、または光ディスクに対して情報の記録
／再生を行う光ディスク装置に関し、特に、外部から入力された映像信号を切り換えて出
力する入力映像信号切換出力回路に関する。
【背景技術】
【０００２】
近年、画像圧縮技術の進歩に伴って、高レートなデジタル画像データをＤＶＤ（デジタ
ル・バーサタイル・ディスク）に記録し、また、ＤＶＤからデジタル画像データを再生す
るＤＶＤレコーダや、ＤＶＤからデジタル画像データの再生のみを行うＤＶＤプレイヤな
どの光ディスク装置が普及している。
【０００３】
このような光ディスク装置によるＤＶＤの再生データは、従来からのアナログ記録方式
のビデオカッセトレコーダ（ＶＣＲ）によるビデオテープの再生データに比べ、非常に高
画質な再生画像を得ることができる。このため、光ディスク装置には、高画質な画像を例
えばテレビジョン受像機に表示させるため、外部からのＳ映像信号（輝度信号と色信号と
を分離した映像信号）を入力するためのＳ入力端子（第１の外部入力端子）、および輝度
信号と色信号等が混合されたコンポジット映像信号を入力するためのコンポジット入力端
子（第２の外部入力端子）などが設けられている。
【０００４】
図３は従来の光ディスク装置としてのＤＶＤレコーダにおける入力映像信号切換出力回
路の構成を示すブロック図である。
【０００５】
この入力映像信号切換出力回路２１は、外部からのＳ映像信号を入力するための第１の
外部入力端子としてのＳ入力端子２２と、外部からのコンポジット映像信号を入力するた
めの第２の外部入力端子としてのコンポジット入力端子２３と、Ｓ入力端子２２からのＳ
映像信号あるいはコンポジット入力端子２３からのコンポジット信号を選択して出力する
選択回路２４と、この選択回路２４で選択された映像信号を出力すると共に前記選択され
た映像信号を変換してもう一方の映像信号を同時に出力する信号処理回路２５と、この信
号処理回路２５からのＳ映像信号を外部へ出力するための第１の外部出力端子としてのＳ
出力端子２６と、前記信号処理回路２５からのコンポジット映像信号を外部へ出力するた
めの第２の外部出力端子としてのコンポジット出力端子２７と、リモコン３０を操作して
セットアップメニュー２９で設定された外部入力端子に応じて選択回路２４を制御する信
号切換制御回路２８とを備えている。
【０００６】
次に、入力映像信号切換出力回路２１の動作について説明する。先ず、入力映像信号切
換出力回路２１が備えられたＤＶＤレコーダに電源が投入され、立ち上げられると、セッ
トアップメニュー２９で設定される外部入力端子は、初期設定としてコンポジット入力端
子２３が選択される。ここで、入力映像信号切換出力回路２１のコンポジット入力端子２
３には、図示しない例えばＤＶＤプレイヤのコンポジット出力端子がコンポジット端子接
続用ケーブルを介して接続されているものとする。また、入力映像信号切換出力回路２１
のコンポジット出力端子２７には、図示しないテレビジョン受像機のコンポジット入力端
子がコンポジット端子接続用ケーブルを介して接続されているものとする。
【０００７】
このような接続状態においては、コンポジット入力端子２３からのコンポジット映像信
号が選択回路２４を通って信号処理回路２５に入力され、信号処理回路２５においては、
コンポジット映像信号は、そのままコンポジット出力端子２７に出力され、また、そのコ
ンポジット映像信号に基づいてＳ映像信号が生成され、このＳ映像信号がＳ出力端子２６
から出力される。
【０００８】
したがって、テレビジョン受像機のコンポジット入力端子がコンポジット端子接続用ケ
ーブルを介してＤＶＤレコーダの入力映像信号切換出力回路２１のコンポジット出力端子
２７に接続されていれば、映像が表示可能になる。また、テレビジョン受像機のＳ入力端
子がＳ端子接続用ケーブルを介してＤＶＤレコーダの入力映像信号切換出力回路２１のＳ
出力端子２６に接続されている場合も、映像が表示可能になる。
【特許文献１】特開平４−１１７０９２号公報
【特許文献２】特開平１０−３０４３９７号公報
【特許文献３】特開２００４−３４３７０３号公報
【発明の開示】
【発明が解決しようとする課題】
【０００９】
しかしながら、このような構成を有する従来の光ディスク装置では、入力映像信号切換
出力回路２１のＳ入力端子２２に例えばＤＶＤプレイヤのＳ出力端子がＳ端子接続用ケー
ブルを介して接続され、セットアップメニュー２９における外部入力端子がコンポジット
入力端子に設定されている場合は、Ｓ入力端子２２からのＳ映像信号は、選択回路２４で
遮断され、信号処理回路２５には供給されず、Ｓ出力端子２６およびコンポジット出力端
子２７からは何も映像信号が出力されないことになり、テレビジョン受像機には映像が表
示されないという課題が生じる。したがって、ユーザは、なぜ映像が出ないのかという疑
問が生じ、これを製品のクレームとしてメーカに連絡などをしたりして、煩わしかった。
【００１０】
その課題の理由は、セットアップメニュー２９における外部入力端子の設定がコンポジ
ット入力端子になっていると、信号切換制御回路２８は、選択回路２４がコンポジット入
力端子２３側を入力するように選択回路２４の共通接点２４１を接点２４３に設定するの
で、Ｓ入力端子２２からのＳ映像信号は信号処理回路２５には供給されないことになり、
テレビジョン受像機には映像が表示されないことになる。
【００１１】
なお、特許文献１の従来技術は、第１の信号検出回路および第２の信号検出回路の検出
信号を入力し、その検出信号を判断し、入力を検出した一方の信号をビデオ信号として出
力するように信号切換回路を制御することにより、Ｓ信号入力端子が接続されたままでも
、コンポジット信号に基づく画像が見ることができるようにしているが、外部からの入力
映像信号が切り換ったときに、セットアップメニューで設定される外部入力端子をも切り
換えるものではない。また、この従来技術は、テレビジョン受像機に採用されるビデオ信
号切換回路であり、ＤＶＤプレイヤやＤＶＤレコーダなどの光ディスク装置に採用される
ものではない。
【００１２】
特許文献２の従来技術は、３つの入力端子を備え、第１の入力端子にコンポジットビデ
オ信号が供給される第１のモードと、第１の入力端子に輝度信号が、第２，第３の入力端
子に色差信号が供給される第２のモードで動作可能なテレビジョン受像機において、第１
の入力端子に供給された信号の色信号成分に含まれているかを検出して、第１，第２のモ
ードのいずれであるかを判定し、この判定結果に応答して映像切換手段を制御して第１ま
たは第２のモードに自動的に切り換えるようにしているが、この従来技術も、外部からの
入力映像信号が切り換ったときに、セットアップメニューで設定される外部入力端子をも
切り換えるものではない。また、この従来技術は、テレビジョン受像機に採用される映像
入力切換回路であり、ＤＶＤプレイヤやＤＶＤレコーダなどの光ディスク装置に採用され
るものではない。
【００１３】
特許文献３の従来技術は、コンポーネントビデオ信号端子に輝度信号が供給されている
かどうかを調べ、この結果によりコンポーネント信号端子とＳ−ＶＨＳ端子とを切り換え
るものであるが、この従来技術も、外部からの入力映像信号が切り換ったときに、セット
アップメニューで設定される外部入力端子をも切り換えるものではない。
【００１４】
本発明は、上記のような課題を解決するためになされたもので、映像信号が入力されて
いる外部入力端子を選択して、常に映像信号を出力することができるようにした入力映像
信号切換出力回路を有する光ディスク装置を提供することを目的とする。
【課題を解決するための手段】
【００１５】
上記目的を達成するために、請求項１の発明は、外部からのＳ映像信号を入力するため
の第１の外部入力端子と、外部からのコンポジット映像信号を入力するための第２の外部
入力端子と、第１の外部入力端子からのＳ映像信号あるいは第２の外部入力端子からのコ
ンポジット信号を選択して出力する選択回路と、この選択回路で選択された映像信号を出
力すると共に前記選択された映像信号を変換してもう一方の映像信号を同時に出力する信
号処理回路と、この信号処理回路からのＳ映像信号を外部へ出力するための第１の外部出
力端子と、前記信号処理回路からのコンポジット映像信号を外部へ出力するための第２の
外部出力端子とを有する入力映像信号切換出力回路を備えた光ディスク装置において、第
１の外部入力端子からのＳ映像信号の有無を検出する第１の映像信号検出回路と、第２の
外部入力端子からのコンポジット映像信号の有無を検出する第２の映像信号検出回路とを
備えると共に、現在映像信号が入力されている側の外部入力端子を前記第１の映像信号検
出回路による検出結果および前記第２の映像信号検出回路による検出結果に基づいて判定
する外部入力端子判定手段と、セットアップメニューで選択された外部入力端子を検出す
るセットアップメニュー選択端子検出手段と、このセットアップメニュー選択端子検出手
段により検出された外部入力端子と前記外部入力端子判定手段により判定された外部入力
端子とが同じであるか否かを判定する両端子比較手段と、この両端子比較手段により両外
部入力端子が異なると判定された場合に前記セットアップメニューで設定されている外部
入力端子を現在映像信号が入力されている側の外部入力端子に変更するメニュー設定端子
変更手段と、前記外部入力端子の変更に応答して現在映像信号が入力されている側の外部
入力端子に切り換えるように前記選択回路を制御する端子切換手段とを有する信号切換制
御回路を備えたことを特徴とする光ディスク装置を提供する。
【００１６】
この構成において、入力映像信号切換出力回路の第１の外部入力端子には、例えばＤＶ
ＤプレイヤのＳ出力端子がＳ端子接続用ケーブルを介して接続されているものとする。ま
た、入力映像信号切換出力回路の第１の外部出力端子には、テレビジョン受像機のＳ入力
端子がＳ端子接続用ケーブルを介して接続されているものとする。
【００１７】
このような接続状態においては、第１の映像信号検出回路は第１の外部入力端子からの
Ｓ映像信号を検出するが、第２の映像信号検出回路は第２の外部入力端子からのコンポジ
ット映像信号を検出しない。したがって、外部入力端子判定手段は、Ｓ映像信号を検出し
たことになるので、第１の外部入力端子にはＳ映像信号が入力されていると判定する。
【００１８】
次に、セットアップメニューでの外部入力端子の設定が第２の外部入力端子になってい
る場合、セットアップメニュー選択端子検出手段は、セットアップメニューでの外部入力
端子の設定が第２の外部入力端子になっていることを検出し、両端子比較手段は、セット
アップメニューでの設定の第２の外部入力端子と、現在映像信号が入力されている第１の
外部入力端子とを比較するが、この場合、両外部入力端子は異なると判定する。
【００１９】
そして、メニュー設定端子変更手段は、セットアップメニューでの外部入力端子を第２
の外部入力端子から第１の外部入力端子に変更し、この変更に応答して、端子切換手段は
、選択回路に対して外部入力端子を第２の外部入力端子側から第１の外部入力端子側に切
り換えように制御する。
【００２０】
このような動作の結果、第１の外部入力端子に接続されているＤＶＤプレイヤからのＳ
映像信号は、選択回路を通って信号処理回路に入力され、信号処理回路においては、Ｓ映
像信号は、そのまま第１の外部出力端子に出力され、また、そのＳ映像信号に基づいてコ
ンポジット映像信号が生成され、このコンポジット映像信号が第２の外部出力端子から出
力される。したがって、テレビジョン受像機のＳ入力端子がＳ端子接続用ケーブルを介し
て入力映像信号切換出力回路の第１の外部出力端子に接続されていれば、映像が表示可能
になる。また、テレビジョン受像機のコンポジット入力端子がコンポジット端子接続用ケ
ーブルを介して入力映像信号切換出力回路の第２の外部出力端子に接続されている場合も
、映像が表示可能になる。
【００２１】
この構成によれば、映像信号が入力されている側の外部入力端子を自動的に選択するこ
とができ、これにより、外部機器が接続されている側の外部入力端子からの映像信号を常
に出力することが可能になり、この結果、ユーザは、なぜ映像が出ないのかというような
疑問が生じることがなくなり、製品に対するクレームも解消することができる。
【００２２】
請求項２の発明は、外部からの第１の映像信号を入力するための第１の外部入力端子と
、外部からの第２の映像信号を入力するための第２の外部入力端子と、第１の外部入力端
子からの第１の映像信号あるいは第２の外部入力端子からの第２の映像信号を選択して出
力する選択回路と、この選択回路で選択された映像信号を出力すると共に前記選択された
映像信号を変換してもう一方の映像信号を同時に出力する信号処理回路と、この信号処理
回路からの第１の映像信号を外部へ出力するための第１の外部出力端子と、前記信号処理
回路からの第２の映像信号を外部へ出力するための第２の外部出力端子とを有する入力映
像信号切換出力回路を備えた光ディスク装置において、第１の外部入力端子からの第１の
映像信号の有無を検出する第１の映像信号検出回路と、第２の外部入力端子からの第２の
映像信号の有無を検出する第２の映像信号検出回路とを備えると共に、前記第１の映像信
号検出回路および前記第２の映像信号検出回路の検出結果に基づいて現在映像信号が入力
されている側の外部入力端子を選択するように前記選択回路を制御する信号切換制御回路
を備えたことを特徴とする光ディスク装置を提供する。
【００２３】
この構成において、例えば、第１の映像信号検出回路が第１の映像信号を検出すると、
信号切換制御回路は、選択回路が第１の外部入力端子を選択するように制御を行い、これ
により、第１の外部入力端子に入力された第１の映像信号が信号処理回路に供給され、信
号処理回路は、第１の映像信号をそのまま出力すると共に、第１の映像信号に基づいて第
２の映像信号を生成して出力し、したがって、第１の外部出力端子からは第１の映像信号
が出力され、第２の外部出力端子からは第２の映像信号が出力される。
【００２４】
この構成によれば、映像信号が入力されている側の外部入力端子を自動的に選択するこ
とができ、これにより、外部機器が接続されている側の外部入力端子からの映像信号を常
に出力することが可能になり、この結果、ユーザは、なぜ映像が出ないのかというような
疑問が生じることがなくなり、製品に対するクレームも解消することができる。
【００２５】
請求項３の発明では、請求項２の発明において、前記信号切換制御回路は、現在映像信
号が入力されている側の外部入力端子を前記第１の映像信号検出回路による検出結果およ
び前記第２の映像信号検出回路による検出結果に基づいて判定する外部入力端子判定手段
と、セットアップメニューで選択された外部入力端子を検出するセットアップメニュー選
択端子検出手段と、このセットアップメニュー選択端子検出手段により検出された外部入
力端子と前記外部入力端子判定手段により判定された外部入力端子とが同じであるか否か
を判定する両端子比較手段と、この両端子比較手段により両外部入力端子が異なると判定
された場合に前記セットアップメニューで設定されている外部入力端子を現在映像信号が
入力されている側の外部入力端子に変更するメニュー設定端子変更手段と、前記外部入力
端子の変更に応答して現在映像信号が入力されている側の外部入力端子に切り換えるよう
に前記選択回路を制御する端子切換手段とを有する。
【００２６】
したがって、前記信号切換制御回路は、現在映像信号が入力されている外部入力端子を
判定する処理、セットアップメニューで選択された外部入力端子を検出する処理、前記検
出された外部入力端子と前記判定された外部入力端子とが同じであるか否かを判定する処
理、両外部入力端子が異なると判定された場合に前記セットアップメニューで設定されて
いる外部入力端子を現在映像信号が入力されている側の外部入力端子に変更する処理、お
よび前記外部入力端子の変更に応答して現在映像信号が入力されている側の外部入力端子
に切り換えるように選択回路を制御する処理を実現できる。
【００２７】
請求項４の発明では、請求項２の発明において、前記第１の映像信号はＳ映像信号であ
り、前記第２の映像信号はコンポジット映像信号であるので、外部機器の映像出力信号が
、Ｓ映像信号やコンポジット映像信号であるものに適用できる。
【発明の効果】
【００２８】
以上のように本発明によれば、外部からのＳ映像信号を入力するための第１の外部入力
端子と、外部からのコンポジット映像信号を入力するための第２の外部入力端子と、第１
の外部入力端子からのＳ映像信号あるいは第２の外部入力端子からのコンポジット信号を
選択して出力する選択回路と、この選択回路で選択された映像信号を出力すると共に前記
選択された映像信号を変換してもう一方の映像信号を同時に出力する信号処理回路と、こ
の信号処理回路からのＳ映像信号を外部へ出力するための第１の外部出力端子と、前記信
号処理回路からのコンポジット映像信号を外部へ出力するための第２の外部出力端子とを
有する入力映像信号切換出力回路を備えた光ディスク装置において、第１の外部入力端子
からのＳ映像信号の有無を検出する第１の映像信号検出回路と、第２の外部入力端子から
のコンポジット映像信号の有無を検出する第２の映像信号検出回路とを備えると共に、現
在映像信号が入力されている側の外部入力端子を前記第１の映像信号検出回路による検出
結果および前記第２の映像信号検出回路による検出結果に基づいて判定する外部入力端子
判定手段と、セットアップメニューで選択された外部入力端子を検出するセットアップメ
ニュー選択端子検出手段と、このセットアップメニュー選択端子検出手段により検出され
た外部入力端子と前記外部入力端子判定手段により判定された外部入力端子とが同じであ
るか否かを判定する両端子比較手段と、この両端子比較手段により両外部入力端子が異な
ると判定された場合に前記セットアップメニューで設定されている外部入力端子を現在映
像信号が入力されている側の外部入力端子に変更するメニュー設定端子変更手段と、前記
外部入力端子の変更に応答して現在映像信号が入力されている側の外部入力端子に切り換
えるように前記選択回路を制御する端子切換手段とを有する信号切換制御回路を備えたの
で、映像信号が入力されている側の外部入力端子を自動的に選択することができ、これに
より、外部機器が接続されている側の外部入力端子からの映像信号を常に出力することが
可能になり、この結果、ユーザは、なぜ映像が出ないのかというような疑問が生じること
がなくなり、製品に対するクレームも解消することができる。
【００２９】
また、本発明によれば、外部からの第１の映像信号を入力するための第１の外部入力端
子と、外部からの第２の映像信号を入力するための第２の外部入力端子と、第１の外部入
力端子からの第１の映像信号あるいは第２の外部入力端子からの第２の映像信号を選択し
て出力する選択回路と、この選択回路で選択された映像信号を出力すると共に前記選択さ
れた映像信号を変換してもう一方の映像信号を同時に出力する信号処理回路と、この信号
処理回路からの第１の映像信号を外部へ出力するための第１の外部出力端子と、前記信号
処理回路からの第２の映像信号を外部へ出力するための第２の外部出力端子とを有する入
力映像信号切換出力回路を備えた光ディスク装置において、第１の外部入力端子からの第
１の映像信号の有無を検出する第１の映像信号検出回路と、第２の外部入力端子からの第
２の映像信号の有無を検出する第２の映像信号検出回路とを備えると共に、前記第１の映
像信号検出回路および前記第２の映像信号検出回路の検出結果に基づいて現在映像信号が
入力されている側の外部入力端子を選択するように前記選択回路を制御する信号切換制御
回路を備えたので、映像信号が入力されている側の外部入力端子を自動的に選択すること
ができ、これにより、外部機器が接続されている側の外部入力端子からの映像信号を常に
出力することが可能になり、この結果、ユーザは、なぜ映像が出ないのかというような疑
問が生じることがなくなり、製品に対するクレームも解消することができる。
【発明を実施するための最良の形態】
【００３０】
以下、添付図面を参照しつつ、本発明の実施の形態について説明する。図１は本発明の
一実施形態に係る光ディスク装置としてのＤＶＤレコーダにおける入力映像信号切換出力
回路の構成を示すブロック図である。なお、この実施形態では、ＤＶＤレコーダに、この
入力映像信号切換出力回路を採用したものを説明するが、この入力映像信号切換出力回路
をＤＶＤプレイヤに採用しても良い。
【００３１】
この入力映像信号切換出力回路１は、外部からのＳ映像信号を入力するための第１の外
部入力端子としてのＳ入力端子２と、外部からのコンポジット映像信号を入力するための
第２の外部入力端子としてのコンポジット入力端子３と、Ｓ入力端子２からのＳ映像信号
あるいはコンポジット入力端子３からのコンポジット信号を選択して出力する選択回路６
と、この選択回路６で選択された映像信号を出力すると共に前記選択された映像信号を変
換してもう一方の映像信号を同時に出力する信号処理回路７と、この信号処理回路７から
のＳ映像信号を外部へ出力するための第１の外部出力端子としてのＳ出力端子８と、前記
信号処理回路７からのコンポジット映像信号を外部へ出力するための第２の外部出力端子
としてのコンポジット出力端子９とを備えている。
【００３２】
また、この入力映像信号切換出力回路１は、Ｓ入力端子２からのＳ映像信号の有無を検
出する第１の映像信号検出回路としてのＳ信号検出回路４と、コンポジット入力端子３か
らのコンポジット映像信号の有無を検出する第２の映像信号検出回路としてのコンポジッ
ト信号検出回路５とを備えている。
【００３３】
更に、この入力映像信号切換出力回路１は、現在映像信号が入力されている側の外部入
力端子（Ｓ入力端子２またはコンポジット入力端子３）をＳ信号検出回路４による検出結
果およびコンポジット信号検出回路５による検出結果に基づいて判定する外部入力端子判
定手段１２１と、セットアップメニュー１０で選択された外部入力端子を検出するセット
アップメニュー選択端子検出手段１２２と、このセットアップメニュー選択端子検出手段
１２２により検出された外部入力端子と前記外部入力端子判定手段１２１により判定され
た外部入力端子とが同じであるか否かを判定する両端子比較手段１２３と、この両端子比
較手段１２３により両外部入力端子が異なると判定された場合に前記セットアップメニュ
ー１０で設定されている外部入力端子を現在映像信号が入力されている側の外部入力端子
に変更するメニュー設定端子変更手段１２４と、前記外部入力端子の変更に応答して現在
映像信号が入力されている側の外部入力端子に切り換えるように前記選択回路６を制御す
る端子切換手段１２５とを有する信号切換制御回路１２を備えている。
【００３４】
図２は本実施形態において入力映像信号切換出力回路１の動作を説明するためのフロー
チャートである。このフローチャートを参照して入力映像信号切換出力回路１の動作につ
いて説明する。
【００３５】
先ず、入力映像信号切換出力回路１が備えられたＤＶＤレコーダに電源が投入され、立
ち上げられると、セットアップメニュー１０で設定される外部入力端子は、初期設定とし
てコンポジット入力端子が選択される。ここで、入力映像信号切換出力回路１のＳ入力端
子２には、例えばＤＶＤプレイヤのＳ出力端子がＳ端子接続用ケーブルを介して接続され
ているものとする。また、入力映像信号切換出力回路１のＳ出力端子２には、テレビジョ
ン受像機のＳ入力端子がＳ端子接続用ケーブルを介して接続されているものとする。
【００３６】
このような接続状態においては、Ｓ信号検出回路４はＳ入力端子２からのＳ映像信号を
検出するが、コンポジット信号検出回路５はコンポジット入力端子３からのコンポジット
映像信号を検出しない。したがって、信号切換制御回路１２の外部入力端子判定手段１２
１は、外部入力端子の片方のみ映像信号があると判定し（ステップＳ１）、更に、この場
合、コンポジット映像信号が検出されず（ステップＳ２）、Ｓ映像信号を検出したことに
なるので（ステップＳ４）、Ｓ入力端子２にＳ映像信号が入力されていると判定する（ス
テップＳ５）。
【００３７】
次に、信号切換制御回路１２のセットアップメニュー選択端子検出手段１２２は、セッ
トアップメニュー１０での外部入力端子の設定（リモコン１１を操作してセットアップメ
ニュー画面をテレビジョン受像機に表示させ、Ｓ入力端子またはコンポジット入力端子を
リモコン１１の操作により選択するための外部入力端子の設定）がコンポジット入力端子
になっていることを検出し、両端子比較手段１２３は、セットアップメニュー１０での設
定のコンポジット入力端子と、現在映像信号が入力されているＳ入力端子２とを比較する
が（ステップＳ６）、両外部入力端子は異なると判定する（ステップＳ６）。
【００３８】
そして、両端子比較手段１２３により両外部入力端子が異なると判定された場合に、メ
ニュー設定端子変更手段１２５は、セットアップメニュー１０での外部入力端子をコンポ
ジット入力端子からＳ入力端子に変更し、この変更に応答して、端子切換手段１２５は、
選択回路６に対して外部入力端子をコンポジット入力端子３側からＳ入力端子２側に切り
換えように制御し、選択回路６の共通接点６１を接点６２側に切り換える（ステップＳ８
）。なお、この場合、セットアップメニュー１０での外部入力端子をコンポジット入力端
子からＳ入力端子に変更する処理は、ユーザ操作によるものではなく、自動的に行われ、
以下セットアップメニュー１０で設定されたＳ入力端子に対する処理が実行可能になる。
【００３９】
このような動作の結果、Ｓ入力端子２に接続されているＤＶＤプレイヤからのＳ映像信
号は、選択回路６を通って信号処理回路７に入力され、信号処理回路７においては、Ｓ映
像信号は、そのままＳ出力端子８に出力され（ステップＳ９）、また、そのＳ映像信号に
基づいてコンポジット映像信号が生成され、このコンポジット映像信号がコンポジット出
力端子９から出力される。したがって、図示しないテレビジョン受像機のＳ入力端子がＳ
端子接続用ケーブルを介してＤＶＤレコーダの入力映像信号切換出力回路１のＳ出力端子
８に接続されていれば、映像が表示可能になる。また、テレビジョン受像機のコンポジッ
ト入力端子がコンポジット端子接続用ケーブルを介してＤＶＤレコーダの入力映像信号切
換出力回路１のコンポジット出力端子９に接続されている場合も、映像が表示可能になる
。
【００４０】
一方、入力映像信号切換出力回路１のコンポジット入力端子３に、ＤＶＤプレイヤのコ
ンポジット出力端子がコンポジット端子接続用ケーブルを介して接続されている場合につ
いて説明する。
【００４１】
このような接続状態においては、コンポジット信号検出回路５はコンポジット入力端子
３からのコンポジット映像信号を検出するが、Ｓ信号検出回路４はＳ入力端子２からのＳ
映像信号を検出しない。したがって、信号切換制御回路１２の外部入力端子判定手段１２
１は、外部入力端子の片方のみ映像信号があると判定し（ステップＳ１）、更に、この場
合、コンポジット映像信号が検出されたと判定し（ステップＳ２）、コンポジット入力端
子３にコンポジット映像信号が入力されていると判定する（ステップＳ３）。
【００４２】
次に、信号切換制御回路１２のセットアップメニュー選択端子検出手段１２２は、セッ
トアップメニュー１０での外部入力端子の設定がコンポジット入力端子になっていること
を検出した場合、両端子比較手段１２３は、セットアップメニュー１０での設定のコンポ
ジット入力端子と、現在映像信号が入力されているコンポジット入力端子３とを比較すれ
ば（ステップＳ６）、両外部入力端子は同じであることが分る。
【００４３】
この場合は、選択回路６は切り換え動作を行う必要がない。なお、選択回路６において
、共通接点６１がＳ入力端子２側の接点６２に設定されている場合には、
メニュー設定端子変更手段１２４は、セットアップメニュー１０での外部入力端子をＳ入
力端子からコンポジット入力端子に変更し、この変更に応答して、端子切換手段１２５は
、選択回路６に対して外部入力端子をＳ入力端子２側からコンポジット入力端子３側に切
り換えように制御し、これにより、選択回路６の共通接点６１は接点６３側に切り換える
。
【００４４】
このような動作の結果、コンポジット入力端子３に接続されているＤＶＤプレイヤから
のコンポジット映像信号は、選択回路６を通って信号処理回路７に入力され、信号処理回
路７においては、コンポジット映像信号は、そのままコンポジット出力端子９に出力され
（ステップＳ７）、また、そのコンポジット映像信号に基づいてＳ映像信号が生成され、
このＳ映像信号がＳ出力端子８から出力される。したがって、テレビジョン受像機のＳ入
力端子がＳ端子接続用ケーブルを介してＤＶＤレコーダの入力映像信号切換出力回路１の
Ｓ出力端子８に接続されていれば、映像が表示可能になる。また、テレビジョン受像機の
コンポジット入力端子がコンポジット端子接続用ケーブルを介してＤＶＤレコーダの入力
映像信号切換出力回路１のコンポジット出力端子９に接続されている場合も、映像が表示
可能になる。
【００４５】
以上説明したように本実施形態によれば、映像信号が入力されている側の外部入力端子
を自動的に選択することができ、これにより、ＤＶＤプレイヤなどの外部機器が接続され
ている側の外部入力端子からの映像信号を常に出力することが可能になり、この結果、ユ
ーザは、なぜ映像が出ないのかというような疑問が生じることがなくなり、製品の信頼性
が向上して、このような疑問に対するクレームを防ぐことができる。
【００４６】
なお、上記実施形態では、外部入力信号として、Ｓ映像信号とコンポジット映像信号に
ついて説明したが、これに限らず、コンポーネント映像信号なども扱っても良いし、映像
信号は２種類に限らず、３種類以上であっても良く、それらの映像信号の何れかを選択す
るように選択回路を構成すれば、同様な効果を得ることができる。また、入力映像信号切
換出力回路の外部入力端子に接続される外部機器はＤＶＤプレイヤに限らず、映像信号を
出力するものであれば良い。
【図面の簡単な説明】
【００４７】
【図１】本発明の一実施形態に係る光ディスク装置としてのＤＶＤレコーダにおける入力映像信号切換出力回路の構成を示すブロック図である。
【図２】前記実施形態において入力映像信号切換出力回路１の動作を説明するためのフローチャートである。
【図３】従来の光ディスク装置としてのＤＶＤレコーダにおける入力映像信号切換出力回路の構成を示すブロック図である。
【符号の説明】
【００４８】
１    入力映像信号切換出力回路
２    Ｓ入力端子（第１の外部入力端子）
３    コンポジット入力端子（第２の外部入力端子）
４    Ｓ信号検出回路（第１の映像信号検出回路）
５    コンポジット信号検出回路（第２の映像信号検出回路）
６    選択回路
７    信号処理回路
８    Ｓ出力端子（第１の外部出力端子）
９    コンポジット出力端子（第２の外部出力端子）
１０    セットアップメニュー
１２    信号切換制御回路
１２１    外部入力端子判定手段
１２２    セットアップメニュー選択端子検出手段
１２３    両端子比較手段
１２４    メニュー設定端子変更手段
１２５    端子切換手段
【図１】
2007043402.tif 000003
【図２】
2007043402.tif 000004
【図３】
2007043402.tif 000005